(57)【要約】【課題】比較的低コストで施工することができ、幅員が比較的狭い場合であっても施工することができ、歩行者レーン内での歩行者及び自転車との錯綜並びに自転車レーン内での自転車及び歩行者の錯綜を生じ難くすることができる境界ブロックを提供する。【解決手段】走行レーン１１及び歩行レーン１２の上面と面一に形成された境界ブロック１の上面１Ａに、左右方向に延びる凸条２を前後方向に離間させて複数形成し、凸条２及び上面１Ａから下の上層部をホワイトセメントにガラス粉砕片又はガラスビーズを混合して固化したものとし、凸条２の前後方向の垂直断面の外形を変曲点がない曲線形状とした。ホワイトセメント等による視覚的分離効果に加え、凸条２を踏んだ歩行者及び自転車に対して注意喚起がされるため、自転車レーン１１及び歩行者レーン１２間の移動を抑制することができる。【選択図】図４
0003158292.tif 000002
【実用新案登録請求の範囲】
【請求項１】
自転車歩行者道又は自転車歩行者専用道路において、自転車の走行レーンと歩行者の歩行レーンとを左右に分離するために前後方向を長手方向とした状態で連続して並べられる、プレキャストコンクリートブロック製の境界ブロックであって、
前記走行レーン及び歩行レーンの上面と面一に形成された上面に、左右方向に延びる凸条を前後方向に離間させて複数形成してなることを特徴とする自転車歩行者道又は自転車歩行者専用道路用境界ブロック。
【請求項２】
前記凸条の前後方向の垂直断面の外形を、変曲点がない曲線形状としてなる請求項１記載の自転車歩行者道又は自転車歩行者専用道路用境界ブロック。
【請求項３】
前記凸条の最大高さを３ｍｍ〜６ｍｍとしてなる請求項１又は２記載の自転車歩行者道又は自転車歩行者専用道路用境界ブロック。
【請求項４】
前記凸条及び前記上面から下の上層部をホワイトセメントにより形成してなる請求項１〜３の何れかに記載の自転車歩行者道又は自転車歩行者専用道路用境界ブロック。
【請求項５】
前記上層部にガラス粉砕片又はガラスビーズを混合してなる請求項４記載の自転車歩行者道又は自転車歩行者専用道路用境界ブロック。
【考案の詳細な説明】
【技術分野】
【０００１】
本考案は、自転車歩行者道又は自転車歩行者専用道路において、自転車の走行レーンと歩行者の歩行レーンとを分離するための境界ブロックに関するものである。
【背景技術】
【０００２】
車道に併設され、自転車を自動車交通から分離して自転車の安全を図るための我が国独自の道路形態として自転車歩行者道があり（道路構造令第２条第１項第３号）、自転車及び歩行者の交通のために設けられた独立した道路として自転車歩行者専用道路がある（道路法第４８条の１３第２項）。
このような自転車及び歩行者の交通のために設けられた道路において、自転車の走行レーン（以下において、「自転車レーン」という。）と歩行者の歩行レーン（以下において、「歩行者レーン」という。）との分離が進んできてはいるが、このような分離がなされた道路（以下において、「分離道路」という。）の割合は、道路延長に対しては依然として低いものである。
【０００３】
また、自転車レーンと歩行者レーンとの分離は、植栽や縁石（ブロック）を用いて構造的に行うものや（自転車レーンと歩行者レーンとの分離を行うものではないが、境界ブロックの例として、特許文献１参照。）、白線、カラー舗装又は色を変えたブロック等により視覚的に行うものがある。
しかしながら、このような自転車レーンと歩行者レーンとの分離を行ったとしても、歩行者が自転車レーンを通行することは禁止されておらず、時間帯により変動する歩行者及び自転車の数又は歩行者及び自転車を運転する人の性別や年齢層等によって、歩行者レーン内での歩行者及び自転車との錯綜並びに自転車レーン内での自転車及び歩行者の錯綜が生じており（例えば、非特許文献１参照。）、自転車対歩行者の事故件数は増加している。
【先行技術文献】
【特許文献】
【０００４】
【特許文献１】特開２００９−１４４３３２号公報
【非特許文献】
【０００５】
【非特許文献１】田中，小柳，木戸，高田，「自転車歩行者道の形態の違いが自転車の走行挙動に及ぼす影響」，土木計画学研究・講演集，Vol.26，Paper No.146
【考案の概要】
【考案が解決しようとする課題】
【０００６】
上述のとおり、自転車レーンと歩行者レーンとの分離がされていない道路（以下において、「既設非分離道路」という。）が多く、このような既設非分離道路において、あるいは新設道路において、これらを分離道路とすべく施工される植栽等による構造的分離は施工コストが嵩むとともに、道路の幅員が比較的狭い場合には構造的分離の実施が困難である。
また、構造的分離を行ったとしても、上述のとおり歩行者レーン内での歩行者及び自転車との錯綜並びに自転車レーン内での自転車及び歩行者の錯綜が生じることがあり、このような状況では、構造的分離により自転車レーン及び歩行者レーンの一方から他方へ移動し難いことから、衝突を回避するためのかわし場所（空間）が小さくなっている。
よって、上述の錯綜が生じている状態では、構造的分離がされているために却って自転車と歩行者との衝突を避け難い場合がある。
【０００７】
これに対して、既設非分離道路及び新設道路を分離道路とすべく施工される白線等による視覚的分離は比較的低コストで施工することができるが、視覚的分離だけでは自転車レーン及び歩行者レーン間の移動が自由に行えるため、上述の歩行者レーン内での歩行者及び自転車との錯綜並びに自転車レーン内での自転車及び歩行者の錯綜が生じ易くなる。
【０００８】
そこで本考案が前述の状況に鑑み、解決しようとするところは、比較的低コストで施工することができ、幅員が比較的狭い場合であっても施工することができ、歩行者レーン内での歩行者及び自転車との錯綜並びに自転車レーン内での自転車及び歩行者の錯綜を生じ難くすることができる自転車歩行者道又は自転車歩行者専用道路用境界ブロックを提供する点にある。
【課題を解決するための手段】
【０００９】
本考案に係る自転車歩行者道又は自転車歩行者専用道路用境界ブロックは、前記課題解決のために、自転車歩行者道又は自転車歩行者専用道路において、自転車の走行レーンと歩行者の歩行レーンとを左右に分離するために前後方向を長手方向とした状態で連続して並べられる、プレキャストコンクリートブロック製の境界ブロックであって、前記走行レーン及び歩行レーンの上面と面一に形成された上面に、左右方向に延びる凸条を前後方向に離間させて複数形成してなることを特徴とする。
このような構成によれば、植栽等により行う構造的分離ではなく、プレキャストコンクリートブロック製のブロックを、その長手方向に連続させて並べるだけであるため、比較的低コストで施工することができるとともに、幅員が比較的狭い場合であっても施工することができる。
よって、上述のとおり既設非分離道路が多い実情において、新設の道路だけでなく既設非分離道路にも容易に用いることができるため、分離道路の割合を高めることができる。
【００１０】
その上、境界ブロックの上面に左右方向に延びる凸条が形成されているため、凸条を踏んだ歩行者及び自転車に対して注意を喚起することができる。
よって、歩行者の歩行者レーンから自転車レーンへの移動及び自転車の自転車レーンから歩行者レーンへの移動を抑制することができるため、歩行者レーン内での歩行者及び自転車の錯綜並びに自転車レーン内での自転車及び歩行者の錯綜を生じ難くすることができる。
その上さらに、歩行者レーン内での歩行者及び自転車の錯綜並びに自転車レーン内での自転車及び歩行者の錯綜が生じたとしても、構造的分離をせずに敢えて歩行者レーン及び自転車レーン間の移動を可能にしていることから、構造的分離をする構成よりも自転車と歩行者との衝突を回避する際に自転車や歩行者が避けるためのかわし場所（空間）が大きくなるため、衝突の回避がし易くなる。
【００１１】
その上、境界ブロック上面の左右方向に延びる複数の凸条が前後方向に離間していることから、境界ブロックの左右方向へ、すなわち歩行者レーンから自転車レーンへ又はその逆方向へ水やゴミ等を容易に移動させることができるため、境界ブロックの清掃を容易に行うことができる。
その上さらに、境界ブロック上面の凸条のまわりに水が溜まり難く、境界ブロック及びその付近の雨水等の水は道路の左右方向の傾斜に沿って流れることから、冬期の凍結を防止することができるため、歩行者及び自転車の転倒を防止することができる。
【００１２】
ここで、前記凸条の前後方向の垂直断面の外形を、変曲点がない曲線形状としてなると好ましい。
このような構成によれば、左右方向に延びる凸条の前後方向の垂直断面の外形が変曲点のない滑らかな曲線形状であることから、歩行者が躓き難く、杖の先が引っ掛かることがないとともに、凸条の上面に雨水が溜まることがないため、凸条の上面が凍結することがない。
よって、境界ブロックによる歩行者及び自転車の転倒防止効果が高くなる。
【００１３】
また、前記凸条の最大高さを３ｍｍ〜６ｍｍとしてなると好ましい。
このような構成によれば、凸条を踏んだ歩行者及び自転車に対する注意喚起効果を保持しながら、歩行者がさらに躓き難くなるため、境界ブロックによる歩行者の転倒防止効果がさらに高くなる。
【００１４】
さらに、前記凸条及び前記上面から下の上層部をホワイトセメントにより形成してなると好ましい。
このような構成によれば、ホワイトセメントのほぼ純白の色合いにより視認性が高い境界ブロックを長手方向に連続して並べた状態で連続した白線になるため、自転車レーンと歩行者レーンとの分離効果が高くなる。
その上、境界ブロックの上層部がホワイトセメントであることから、境界ブロックの上面が磨耗しても白線が消えることがないため、白線を引き直すメンテナンス作業が不要になる。
【００１５】
さらにまた、前記上層部にガラス粉砕片又はガラスビーズを混合してなると好ましい。
このような構成によれば、ガラス粉砕片又はガラスビーズが混合された境界ブロックの上面及び凸条に太陽光線や自転車の照明が乱反射又は再帰反射することから、昼間及び夜間における視認性が向上するため、自転車レーンと歩行者レーンとの分離効果がさらに高くなる。
【考案の効果】
【００１６】
以上のように、本考案に係る自転車歩行者道又は自転車歩行者専用道路用境界ブロックによれば、植栽等により行う構造的分離ではなく、プレキャストコンクリートブロック製のブロックを、その長手方向に連続させて並べるだけであるため、比較的低コストで施工することができるとともに、幅員が比較的狭い場合であっても施工することができ、境界ブロックの上面に左右方向に延びる凸条が形成されていることから、凸条を踏んだ歩行者及び自転車に対して注意を喚起することができるため、歩行者の歩行者レーンから自転車レーンへの移動及び自転車の自転車レーンから歩行者レーンへの移動を抑制して、歩行者レーン内での歩行者及び自転車の錯綜並びに自転車レーン内での自転車及び歩行者の錯綜を生じ難くすることができるという顕著な効果を奏する。
【図面の簡単な説明】
【００１７】
【図１】本考案の実施の形態に係る境界ブロックが使用された自転車歩行者道の例を示す平面図であり、自転車レーン及び歩行者レーンが平板ブロックである場合を示している。
【図２】同じく縦断正面図である。
【図３】同じく縦断側面図である。
【図４】同じく要部を拡大して示す斜視図である。
【図５】本考案の実施の形態に係る境界ブロックの斜視図である。
【図６】同じく、（ａ）は平面図、（ｂ）は正面図、（ｃ）は側面図である。
【図７】境界ブロック上面の凸条のバリエーションを示す斜視図であり、（ａ）は斜線状の凸条を、（ｂ）はく字状の凸条を、（ｃ）は円弧状の凸条を示している。
【図８】自転車レーン及び歩行者レーンがアスフェルトである場合を示す斜視図である。
【考案を実施するための形態】
【００１８】
次に本考案の実施の形態を添付図面に基づき詳細に説明するが、本考案は、添付図面に示された形態に限定されず実用新案登録請求の範囲に記載の要件を満たす実施形態の全てを含むものである。
また、本明細書において、自転車レーン側から歩行者レーン側を見た図を正面図とし、自動車及び自転車の走行方向並びに歩行者の歩行方向、すなわち境界ブロックの長手方向を前後方向とし、前後方向に直交する水平方向を左右方向とする。
【００１９】
図１〜図４に示す本考案の実施の形態に係る境界ブロック１，１，…が使用された自転車歩行者道１０において、自動車が走行する車道１３に沿って自転車レーン１１があり、自転車レーン１１と車道１３とは縁石ブロック１４，１４，…により区分され、車道１３に対して自転車レーン１１よりも内側に歩行者レーン１２があり、歩行者レーン１２と自転車レーン１１とは境界ブロック１，１，…により区分される。
このように、境界ブロック１，１，…は、自転車歩行者道１０において、自転車レーン１１と歩行者レーン１２とを左右に分離するために前後方向を長手方向とした状態で連続して並べられるものであり、前後の境界ブロック１，１間には、図２に示すように、砂及びモルタル等の目地材５が挿入される。なお、自転車歩行者道１０の曲線状道路部分において隣接する前後のブロック１，１間にできる扇状の隙間にも、砂及びモルタル等が挿入される。
また、自転車レーン１１及び歩行者レーン１２は、平板ブロック６，６，…を前後左右に並設して形成される。
そして、これらの境界ブロック１，１，…及び平板ブロック６，６，…は、図２〜図４に示すように、基礎７の最上層の砂及びモルタル８上に敷設される。
【００２０】
図５及び図６に示すように、境界ブロック１は、幅（左右方向の長さ）が１００ｍｍ〜２００ｍｍ程度、前後方向の長さが４００ｍｍ〜１０００ｍｍ程度、高さが５０ｍｍ〜８０ｍｍ程度である、ぼぼ直方体状に成形されたプレキャストコンクリートブロックであり、その上面１Ａには、左右方向に延びる複数（本実施の形態では３個）の凸条２，２，…が前後方向に離間するように形成されており、図１〜図４に示す使用状態（施工後の状態）では、境界ブロック１の上面１Ａは、自転車レーン１１及び歩行者レーン１２の上面と面一となっている。
また、境界ブロック１の上面１Ａの下の上層部３（その厚さは１０ｍｍ〜３０ｍｍ程度）は、ホワイトセメント（ポルトランドセメントの呈色成分である酸化第二鉄及び酸化マグネシウムを少なくすることにより白色化した、ほぼ純白のセメント）にガラス粉砕片又はガラスビーズを混合して固化したものであり、境界ブロック１の上層部３の下の下層部４は、セメント及び骨材等を混合して固化した一般的なコンクリートである。
【００２１】
さらに、境界ブロック１の左右方向に延びる凸条２の形状は、図２及び図６（ｂ）に示すように、その前後方向の垂直断面の外形が変曲点のない曲線形状であり、例えば円弧状、楕円弧状、アーチ状等に形成され、図３、図６（ａ）及び（ｃ）に示すように、自転車レーン１１側及び歩行者レーン１２側の左右端面が上方へ行くにしたがって左右方向の内側に傾斜する傾斜面となっており、凸条２の最大高さは３ｍｍ〜６ｍｍとしている。
ここで、境界ブロック１の左右方向に延びる凸条２は、図１、図４及び図５等に示すような左右方向に真っ直ぐに延びる形状に限定されるものではなく、図７（ａ）に示すような平面視において左右方向に行くにしたがって前後方向に傾斜する直線状のもの、図７（ｂ）に示すような平面視においてく字状のもの、図７（ｃ）に示すような平面視において円弧状のもの等であってもよい。
【００２２】
以上の説明においては、自転車歩行者道１０の自転車レーン１１及び歩行者レーン１２を平板ブロック６，６，…により形成する場合を示したが、図８に示すように、自転車レーン１１及び歩行者レーン１２をアスファルト９，９により形成してもよいし、自転車レーン１１及び歩行者レーン１２の一方を平板ブロック６，６，…等のブロックとし、他方をアスファルト９としてもよい。
また、以上の説明においては、境界ブロック１，１，…を自転車歩行者専用道路１０に用いる場合を示したが、境界ブロック１，１，…は自転車歩行者専用道路に用いてもよい。
【００２３】
以上のような境界ブロック１，１，…を用いて分離道路を形成することにより、植栽等により行う構造的分離ではなく、プレキャストコンクリートブロック製のブロックを、その長手方向に連続させて並べるだけであるため、比較的低コストで施工することができるとともに、幅員が比較的狭い場合であっても施工することができる。
また、境界ブロック１，１，…の上面に左右方向に延びる凸条２，２，…が形成されていることから、凸条２，２，…を踏んだ歩行者（車椅子及びその介助者等も含む）及び自転車に対して注意を喚起することができ、よって、歩行者の歩行者レーン１２から自転車レーン１１への移動及び自転車の自転車レーン１１から歩行者レーン１２への移動を抑制することができるため、歩行者レーン１２内での歩行者及び自転車の錯綜並びに自転車レーン１１内での自転車及び歩行者の錯綜を生じ難くすることができる。
【００２４】
さらに、歩行者レーン１２内での歩行者及び自転車の錯綜並びに自転車レーン１１内での自転車及び歩行者の錯綜が生じたとしても、構造的分離をせずに敢えて歩行者レーン１２及び自転車レーン１１間の移動を可能にしていることから、構造的分離をする構成よりも自転車と歩行者との衝突を回避する際に自転車や歩行者が避けるためのかわし場所（空間）が大きくなるため、衝突の回避がし易くなる。
さらにまた、境界ブロック１，１，…上面１Ａ，１Ａ，…の左右方向に延びる複数の凸条２，２，…が前後方向に離間していることから、境界ブロック１，１，…の左右方向へ、すなわち歩行者レーン１２から自転車レーン１１へ又はその逆方向へ水やゴミ等を容易に移動させることができるため、境界ブロック１，１，…の清掃を容易に行うことができる。
また、境界ブロック１，１，…上面１Ａ，１Ａ，…の凸条２，２，…のまわりに水が溜まり難く、境界ブロッ１，１，…及びその付近の雨水等の水は道路の左右方向の傾斜に沿って流れることから、冬期の凍結を防止することができるため、歩行者及び自転車の転倒を防止することができる。
【００２５】
さらに、左右方向に延びる凸条２，２，…の前後方向の垂直断面の外形が変曲点のない滑らかな曲線形状であることから、歩行者が躓き難く、杖の先が引っ掛かることがないとともに、凸条２，２，…の上面に雨水が溜まることがなく、凸条２，２，…の上面が凍結することがないため、境界ブロック１，１，…による歩行者及び自転車の転倒防止効果が高くなる。
さらにまた、凸条２，２，…の最大高さを３ｍｍ〜６ｍｍとしていることから、凸条２，２，…を踏んだ歩行者及び自転車に対する注意喚起効果を保持しながら、歩行者がさらに躓き難くなるため、境界ブロック境界ブロック１，１，…による歩行者の転倒防止効果がさらに高くなる。
【００２６】
また、凸条２，２，…及び境界ブロック１，１，…の上面１Ａ，１Ａ，…から下の上層部３をホワイトセメントにより形成していることから、ホワイトセメントのほぼ純白の色合いにより視認性が高い境界ブロック１，１，…を長手方向に連続して並べた状態で連続した白線になるため、自転車レーン１１と歩行者レーン１２との分離効果が高くなる。
さらに、上層部３にガラス粉砕片又はガラスビーズを混合していることから、ガラス粉砕片又はガラスビーズが混合された境界ブロック１，１，…の上面１Ａ，１Ａ，…及び凸条２，２，…に太陽光線や自転車の照明が乱反射又は再帰反射することから、昼間及び夜間における視認性が向上するため、自転車レーン１１と歩行者レーン１２との分離効果がさらに高くなる。
さらにまた、境界ブロック１，１，…の上層部３，３，…がホワイトセメントであることから、境界ブロック１，１，…の上面１Ａ，１Ａ，…が磨耗しても白線が消えることがないため、白線を引き直すメンテナンス作業が不要になる。
【符号の説明】
【００２７】
１  境界ブロック
１Ａ上面
２  凸条
３  上層部
４  下層部
５  目地材
６  平板ブロック
７  基礎
８  砂及びモルタル
９  アスファルト
１０  自転車歩行者道
１１  自転車レーン
１２  歩行者レーン
１３  車道
１４  縁石ブロック
【図１】
0003158292.tif 000003
【図２】
0003158292.tif 000004
【図３】
0003158292.tif 000005
【図４】
0003158292.tif 000006
【図５】
0003158292.tif 000007
【図６】
0003158292.tif 000008
【図７】
0003158292.tif 000009
【図８】
0003158292.tif 000010